【事件の表示】
　特願２００６−２１７１５５「弾球遊技機」拒絶査定不服審判事件〔平成１８年１１月　２日出願公開、特開２００６−２９７１５４〕について、次のとおり審決する。
【結　論】
　本件審判の請求は、成り立たない。
【理　由】
　
第一、手続の経緯　
　本願は、平成１３年８月９日に出願した特願２００１−２４２３９７号の一部を平成１８年８月９日に新たな特許出願としたものであって、平成２１年６月１１日付けで拒絶理由が通知され、これに対し、同年８月５日付けで手続補正がなされ、同年１０月１４日付けで拒絶査定がなされ、これに対し、平成２２年１月１８日付けで審判請求がなされるとともに、同日付け手続補正書によって明細書の一部が補正（以下、「本件補正」という。）されたものである。
　なお、当審において、平成２２年８月２日付けで審査官による前置報告書の内容を添付して審尋を行い、同年９月２７日に回答書が提出されている。
　　
第二、平成２２年１月１８日付けの手続補正についての補正却下の決定
［補正却下の決定の結論］
　平成２２年１月１８日付けの手続補正（以下、「本件補正」という。）を却下する。
［理由］
　（１）補正前・後の本願発明　　
　本件補正は、補正前（平成２１年８月５日付け手続補正による補正）の特許請求の範囲の請求項１に記載された、　
「【請求項１】装着孔（１３ａ）を有する遊技盤（１３）と、該遊技盤（１３）の前側から前記装着孔（１３ａ）に装着される前構造体（４０）とを備えた弾球遊技機において、前記前構造体（４０）に対応して前記遊技盤（１３）の裏側に装着される裏構造体（４１）を備え、前記前構造体（４０）と前記裏構造体（４１）とは前記遊技盤（１３）を前後に挟み込むように装着され、前記前構造体（４０）には、遊技球を左右に往復移動させつつ減速させた後、前側に案内して前記遊技盤（１３）の前側の下部側に落下させる球案内ステージ（５３）が設けられており、前記前構造体（４０）と前記裏構造体（４１）とを互いに固定する固定手段（４３）を、前記球案内ステージ（５３）の左右方向中央に対応してその後側に設けたことを特徴とする弾球遊技機。」を、　
　
「【請求項１】装着孔（１３ａ）を有する遊技盤（１３）と、該遊技盤（１３）の前側から前記装着孔（１３ａ）に装着される前構造体（４０）とを備えた弾球遊技機において、前記前構造体（４０）に対応して前記遊技盤（１３）の裏側に装着される裏構造体（４１）を備え、前記前構造体（４０）と前記裏構造体（４１）とは前記遊技盤（１３）を前後に挟み込むように装着され、前記前構造体（４０）には、遊技球を左右に往復移動させつつ減速させた後、前側に案内して前記遊技盤（１３）の前側の下部側に落下させる球案内ステージ（５３）が設けられており、前記前構造体（４０）と前記裏構造体（４１）とを
前後方向に
　　　
　上記本件補正は、補正前の特許請求の範囲の請求項１に記載された発明を特定するために必要な事項である「固定手段（４３）」による固定の態様について、「互いに固定する」を「
前後方向に
　　
　（２）そこで、本件補正後の請求項１に記載された発明（以下、「本願補正発明」という。）が特許出願の際独立して特許を受けることができるものであるのか（上記改正前の特許法第１７条の２第５項において準用する同法第１２６条第５項の規定に適合するか）について以下に検討する。
　　　
　（あ）刊行物に記載された発明
　刊行物１：特開２００１−１１２９５０号公報
　　　　　　　（平成１３年４月２４日公開）　
　刊行物２：特開平８−１５５１０７号公報　
　刊行物３：特開２０００−３７５２４号公報　
　　　　　
　原査定の拒絶理由に引用され、本願出願前に頒布された特開２００１−１１２９５０号公報（以下、「引用刊行物１」という。）には、次の事項が記載されている。
　（１ａ）「【０００１】
【発明の属する技術分野】この発明は遊技盤に役物等遊技部材を簡単に装着できるようにし、デザインを重視したパチンコ遊技機およびパチンコ遊技機における遊技部材取付け構造に関する。」、
　（１ｂ）「【００１６】図１において、遊技盤１を説明する。遊技盤１には円弧状の打球誘導レール２として、外レール２ａが設けられ、かつその外レールの内側には球誘導通路を存して内側レール２ｂが設けられている。この打球誘導レール２に囲まれる遊技領域３には図柄表示装置、各種入賞口等遊技部材（第２ユニット）４が備えられている。５はこの遊技部材４のベースとなるベース部材（第１ユニット）である。前記遊技部材（第２ユニット）４としては、図柄表示装置１０、その両側のランプ風車１１、サイド飾り１２、その内側に備えた左と右袖入賞口１３、中央下部の第１種始動口１４、普通電動役物１５、その下方に大入賞口１６、その両側の落とし入賞口１７、左右のゲート等を含むものである。前記ベース部材（第１ユニット）５として、合成樹脂製ベース板５０、５０’等を含むものである。・・・
【００１７】この発明は遊技盤１の前面に取付ける遊技部材（第２ユニット）４をビスを用いないで取着しうるようにしたものである。図２乃至図１４において、遊技部材４の１例として図柄表示装置１０の場合の取付け構造を説明する。遊技部材４の取付け構造は、遊技部材４と遊技部材の合成樹脂製ベース部材５とにより遊技盤１を挟み込み、遊技部材４とベース部材５の係合手段を相互に係脱させ、遊技部材４とベース部材５の位置決め手段を遊技盤の表裏の位置決め手段と相互に嵌合させて取付けできるようにしたものである。
【００１８】図１および図２において、遊技部材（第２ユニット）４の図柄表示装置１０は中央に開口２０ａを形成したほぼ四角形状の合成樹脂製器体２０の前面上部に普通図柄装置２１を備え、左右の球通過口入口２２と、下部の内側に左右の球通過口出口２３が形成され、中央下部には左右の球通過口出口２３から出された球を中央に誘導して下方へ落下するステージ２４が形成され、器体２０の奥に表示窓孔２５が設けられ、かつ器体２０の背面に四角形の取付け枠３０が形成されている。・・・
【００１９】図１２および図１３において、遊技部材４の図柄表示装置１０の取付け構造は、器体２０の背面の取付け枠３０の両側に第１の係合手段３１が設けられ、かつその器体２０の両側背面に遊技部材位置決め手段３２が設けられている。取付け枠３０に設ける第１の係合手段３１として、取付け枠３０の背面に第２の係合手段５４の係受部５７に係止しうる鉤状の爪３３ａが先端外側に形成された係止爪３３が一体形成され、かつ遊技部材位置決め手段３２として、器体２０の背面上下に遊技部材位置決め凸部３４が突設されている。
【００２０】遊技盤１の材質は合成樹脂製、木製等で、遊技部材４の形状に対応する開口部が複数形成されている。図３、図６では遊技部材４の１例である図柄表示装置１０用の取付け開口部４０が形成された場合で説明する。この開口部４０は遊技部材４の図柄表示装置１０の取付け枠３０、第１の係合手段３１を嵌合しうる大きさに形成されている。遊技盤１の前面には該開口部４０の上下位置に図柄表示装置１０を取付けるための位置決め手段４１として複数個の位置決め凹部（位置決め孔）４３が設けられ、かつその背面には開口部４０の両側にベース部材５を取付けるための位置決め手段４２として位置決め凹部（位置決め孔）４４が設けられている。
【００２１】図３乃至図５に示すベース部材（第１ユニット）５は、コ字型に屈曲形成して中央に凹状取付け部５１が形成されかつ両側に取付け片５２が形成された合成樹脂製ベース板５０で、その凹状取付け部５１の中央に特別図柄表示窓５３とその両側に第２の係合手段（被係合部）５４が形成され、かつ両側の取付け片５２にベース部材位置決め手段５５が形成され、かつまた、ベース板５０の背面には液晶ユニット取付け部６１が形成されている。前記凹状取付け部５１は前記遊技部材４の取付け枠３０が挿入しうる巾とする。
【００２２】図１２および図１３において、前記第２の係合手段（被係合部）５４として、遊技部材４の係止爪３３が通過する通過孔５６と係止爪３３を引っ掛け固定する係受部５７が設けられている。該通過孔５６は係止爪３３の先端の爪を挿入しうるよう少し広く形成される。而して、係止爪３３は弾性を利用して通過孔５６の通過により加圧され、通過後復元力により爪を係受部５７に掛け止めできる。
【００２３】前記ベース部材５の両側の取付け片５２には、ベース部材位置決め手段５５として前記遊技盤１の背面のベース部材位置決め凹部４４に嵌合しうるベース部材位置決め凸部（位置決め体）５８が前面上下に所定の間隔をおいて突設されている。このベース部材位置決め凸部５８が前記遊技盤１の位置決め凹部４４に嵌合されて正確に位置決めされる。なお、６４は取付け片５２に設けたビス孔である。」、
　（１ｃ）「【００２７】図９乃至図１４において、この発明の遊技部材取付け構造により遊技部材４とベース部材５とで遊技盤１を挟み込んで係合手段、位置決め手段により取付ける方法を説明する。図９乃至図１３における実施形態では、遊技盤１の前面側に遊技部材４を当て背面側にベース部材５を当て、遊技盤１の開口部４０を通じて遊技部材４の取付け枠３０、係止爪３３を挿通し、該取付け枠３０とベース板５０の凹状取付け部５１に挿入し、遊技部材４の両側の係止爪３３を凹状取付け部５１に設けた通過孔５６に挿入時に通過孔５６により係止爪が加圧され内側へ押圧されて通過し、通過した後加圧された係止爪３３は弾性で復元し係止爪３３が係受部５７に引っ掛け固定される。・・・」。
　　　
　したがって、引用刊行物１には、　
「　遊技部材４とベース部材５とにより遊技盤１を挟み込み、遊技部材４とベース部材５の係合手段を相互に係脱させ、遊技部材４とベース部材５の位置決め手段を遊技盤の表裏の位置決め手段と相互に嵌合させ、遊技盤１の前面に遊技部材４を取着しうる、パチンコ遊技機において、
　（ａ）前記遊技部材４の図柄表示装置１０はほぼ四角形状の合成樹脂製器体２０の前面上部に普通図柄装置２１を備え、下部の内側に左右の球通過口出口２３が形成され、中央下部には左右の球通過口出口２３から出された球を中央に誘導して下方へ落下するステージ２４が形成され、前記器体２０の背面に四角形の取付け枠３０が形成され、該取付け枠３０の両側に第１の係合手段３１として、取付け枠３０の背面に第２の係合手段５４の係受部５７に係止しうる鉤状の爪３３ａが先端外側に形成された係止爪３３が一体形成され、かつその器体２０の両側背面に遊技部材位置決め手段３２として、器体２０の背面上下に遊技部材位置決め凸部３４が突設され、
　（ｂ）前記遊技盤１は、遊技部材４の図柄表示装置１０用の取付け開口部４０が形成され、この開口部４０は遊技部材４の図柄表示装置１０の取付け枠３０、第１の係合手段３１を嵌合しうる大きさに形成され、遊技盤１の前面には該開口部４０の上下位置に図柄表示装置１０を取付けるための位置決め手段４１として複数個の位置決め凹部（位置決め孔）４３が設けられ、かつその背面には開口部４０の両側にベース部材５を取付けるための位置決め手段４２として位置決め凹部（位置決め孔）４４が設けられ、
　（ｃ）前記ベース部材５は、コ字型に屈曲形成して中央に凹状取付け部５１が形成されかつ両側に取付け片５２が形成された合成樹脂製ベース板５０で、その凹状取付け部５１の中央に特別図柄表示窓５３とその両側に第２の係合手段（被係合部）５４が形成され、取付け片５２にはビス孔６４が設けられ、ベース部材５の両側の取付け片５２には、ベース部材位置決め手段５５として前記遊技盤１の背面のベース部材位置決め凹部４４に嵌合しうるベース部材位置決め凸部（位置決め体）５８が前面上下に所定の間隔をおいて突設され、このベース部材位置決め凸部５８が前記遊技盤１の位置決め凹部４４に嵌合されて正確に位置決めされる、パチンコ遊技機。」の発明（以下、「引用発明１」という。）が記載されていると認められる。　
　　
　本願出願前に頒布された特開平８−１５５１０７号公報（以下、「引用刊行物２」という。）には、次の事項が記載されている。
　（２ａ）「【００１１】図２中、１０は、弾球遊技機としてのパチンコ機を示すものであり、このパチンコ機１０は、その前面には遊技盤２０を有し、遊技盤２０の表面には、円弧状の外レール２１及び内レール２２の２本のレールからなる略円形状のガイドレール２３で囲まれた略円形の遊技部３０を備えている・・・
【００１２】・・・また、前記遊技部３０内のほぼ中央には、図２に示すように、複数種類の図柄を変動表示する変動表示装置５０が設けられている。また、この変動表示装置５０の下方には、図２に示すように、チューリップ型の始動口６０が設けられ、この始動口６０内には、遊技球の入球を検出すると、前記変動表示装置５０による図柄の変動表示を開始させる始動口センサ６１が設けられている。」、　
　（２ｂ）「【００１６】上記変動表示装置５０は、図３に示すように、前面に位置する変動表示装置用のエスカッション９０と、このエスカッション９０の後方に配置された、例えばドットマトリックスで構成され、図柄の変動表示を行う変動表示器９１とから構成されている。上記エスカッション９０は、図１に示すように、遊技盤２０に設けられた方形状の取付開口Ｈに、前面をガラス板４０方向に向けて挿入され遊技盤２０に固定される。
【００１７】また、エスカッション９０は、図１に示すように、大別して周囲を囲む略楕円の筒形に形成された枠部材１００と、・・・とから構成されている。
【００１８】上記枠部材１００は、図１，５〜７に示すように、楕円状の取付枠部１０１と、この取付枠部１０１から立ち上がって筒状をなした側壁１０２とからなり、例えばプラスチックで一体的に形成されている。・・・
【００１９】上記取付枠部１０１には、図５〜８に示すように、その裏面に、遊技盤２０の裏面側にネジ止めによって取り付けるための支持棒１０３・・・が十字方向の位置に合計４本設けられている。・・・」。　
　
　したがって、引用刊行物２には、　
「　遊技盤２０表面の略円形の遊技部３０内のほぼ中央には、複数種類の図柄を変動表示する変動表示装置５０が設けられ、この変動表示装置５０の下方には、チューリップ型の始動口６０が設けられる、パチンコ機１０において、
　上記変動表示装置５０のエスカッション９０は、遊技盤２０に設けられた方形状の取付開口Ｈに挿入され遊技盤２０に固定され、
　当該エスカッション９０を構成する枠部材１００は、楕円状の取付枠部１０１と、この取付枠部１０１から立ち上がって筒状をなした側壁１０２とからなり、上記楕円状の取付枠部１０１には、その裏面に、遊技盤２０の裏面側にネジ止めによって取り付けるための支持棒１０３・・・が十字方向の位置に合計４本設けられている、パチンコ機１０。」の発明（以下、「引用発明２」という。）が記載されていると認められる。
　　
　　本願出願前に頒布された特開２０００−３７５２４号公報（以下、「引用刊行物３」という。）には、次の事項が記載されている。
　（３ａ）「【００１６】
【発明の実施の形態】以下、本発明によって提供される上記パチンコ機の好適な実施形態について図面を参照しつつ説明する。」、
　（３ｂ）「【００４７】・・・図８に示すように、本実施形態に係るセンター役物５０は、上記センター役物２０と同様、本発明に係る図柄表示装置として機能し得る装置である。すなわち、本センター役物５０は特別図柄を表示・変動する液晶ディスプレイ５１を備えており、さらにワープ機構を備えた役物である。而して、液晶ディスプレイ５１を包囲するように形成された本体部５０ａは所定の形状に予め成形された合成樹脂製であり、遊技盤１の中央部に設けられた取付け開口部（図示せず）にビスｖによって取り付けられている。・・・」、　
　（３ｃ）「【００４９】一方、ワープ入口５２に連通する球通路を通行した遊技球Ｂは、本センター役物５０の裏面側を通って液晶ディスプレイ５１の両サイドに設けられたワープ出口５５ａ，５５ｂから再びセンター役物５０の表面側に送り出される。ここで、上記センター役物２０と同様、液晶ディスプレイ５１の下方部には、下棚板５７が形成されており、両端から中央に向けて下がり傾斜が形成されている。このため、上記ワープ出口５５ａ，５５ｂから出た遊技球Ｂはそのまま下棚板５７上を転動し、その中央部に設けられた放出部５８から流下する。
【００５０】一方、当該放出部５８の真下には、本実施形態に係る第１種始動口６０ａを構成する入賞装置（固定入賞装置）６０が装着されている。すなわち、本実施形態においては、ワープ入口５２に遊技球Ｂを入れることによって、その遊技球Ｂを第１種始動口６０ａ上に誘導することができる。」。　
　（３ｄ）また、一実施形態に係る本発明のセンター役物の表面構成を示す正面図である【図８】には、「下棚板５７の左右方向中央近傍に位置するビスｖ」が示されている。　
　
　したがって、引用刊行物３には、　
「　液晶ディスプレイ５１とワープ機構を備え、
　前記液晶ディスプレイ５１を包囲するように形成された本体部５０ａは、遊技盤１の中央部に設けられた取付け開口部に、ビスｖによって取り付けられる、パチンコ機のセンター役物５０であって、
　前記液晶ディスプレイ５１の両サイドに設けられたワープ出口５５ａ，５５ｂから出た遊技球Ｂを、前記液晶ディスプレイ５１の下方部に形成された下棚板５７上を転動させ、その中央部に設けられた放出部５８から流下させ、その遊技球Ｂを当該放出部５８の真下に装着されている第１種始動口６０ａ上に誘導することができ、
　前記ビスｖは、前記下棚板５７の左右方向中央近傍に位置するものである、パチンコ機のセンター役物５０。」の発明（以下、「引用発明３」という。）が記載されていると認められる。
　　　　　　
　（い）対比・検討　
　本願補正発明と引用発明１とを対比・検討する。
　（い−１）引用発明１の「開口部４０」は本願補正発明の「装着孔（１３ａ）」に相当し、以下同様に「遊技盤１」は「遊技盤（１３）」に、「遊技部材４」は「前構造体（４０）」に、「パチンコ遊技機」は「弾球遊技機」に、「ベース部材５」は「裏構造体（４１）」に、「挟み込み」は「挟み込む」に、それぞれ相当する。
　（い−２）引用発明１の「開口部４０」は、「遊技部材４の図柄表示装置１０用の取付け」のために形成され、「遊技部材４の図柄表示装置１０の取付け枠３０、第１の係合手段３１を嵌合しうる大きさに形成され」るものであり、また引用発明１の「遊技部材４」は「ベース部材５とにより遊技盤１を挟み込み」、「遊技盤１の前面に取着」されるものであるから、引用発明１は本願補正発明の「遊技盤（１３）の前側から装着孔（１３ａ）に装着される前構造体（４０）」及び「前構造体（４０）に対応して遊技盤（１３）の裏側に装着される裏構造体（４１）」に相当する事項を備えている。
　（い−３）引用発明１の「遊技部材４の・・・、中央下部には左右の球通過口出口２３から出された球を中央に誘導して下方へ落下するステージ２４が形成され」について検討すると、「ステージ２４」から落下する球が遊技盤の前側の下部側に落下することは、パチンコ遊技機における技術常識であるから、引用発明１は本願補正発明の「遊技球を左右に往復移動させつつ減速させた後、前側に案内して（前記）遊技盤の前側の下部側に落下させる球案内ステージ（５３）」と比較して、「遊技球を前側に案内して遊技盤の前側の下部側に落下させる球案内ステージ（５３）」において一致している。
　（い−４）引用発明１は「遊技部材４とベース部材５とにより遊技盤１を挟み込み、遊技部材４とベース部材５の係合手段を相互に係脱させ、遊技盤１の前面に遊技部材４を取着しうる」、即ち「前後方向に相互に係脱させ」るものであるから、引用発明１は本願補正発明の「前構造体（４０）と裏構造体（４１）とを前後方向に互いに固定する固定手段（４３）」に相当する事項を備えている。
　（い−５）引用発明１は、「遊技部材４とベース部材５の係合手段を相互に係脱させ」るもので、「遊技部材４背面の取付け枠３０の背面両側に第１の係合手段３１として、第２の係合手段５４の係受部５７に係止しうる鉤状の爪３３ａが先端外側に形成された係止爪３３が一体形成され、ベース部材５の凹状取付け部５１中央の特別図柄表示窓５３の両側に第２の係合手段５４が形成された」ものであり、また「遊技部材４の中央下部にはステージ２４が形成され」ているものであるから、引用発明１は本願補正発明の「固定手段を、（前記）球案内ステージの左右方向中央に対応してその後側に設けた」と比較して、「固定手段を、（前記）球案内ステージの後側に設けた」において一致している。
　　　　
　よって、両者は、　
　「　装着孔を有する遊技盤と、該遊技盤の前側から前記装着孔に装着される前構造体とを備えた弾球遊技機において、前記前構造体に対応して前記遊技盤の裏側に装着される裏構造体を備え、前記前構造体と前記裏構造体とは前記遊技盤を前後に挟み込むように装着され、前記前構造体には、遊技球を前側に案内して前記遊技盤の前側の下部側に落下させる球案内ステージが設けられており、前記前構造体と前記裏構造体とを前後方向に互いに固定する固定手段を、前記球案内ステージの後側に設けた、弾球遊技機。」である点で一致し、次の点で相違する。
　
　相違点１　
　球案内ステージが、本願補正発明では、遊技球を左右に往復移動させつつ減速させた後、落下させるのに対し、引用発明１では、左右の球通過口出口２３から出された球を中央に誘導して下方へ落下させる点。　
　相違点２
　前構造体と裏構造体とを固定する固定手段を、本願補正発明では球案内ステージの左右方向中央に対応してその後側に設けたのに対し、引用発明１では、球案内ステージの後側に設けた点。　
　　　
　上記相違点について検討する。　
　相違点１について　
　遊技球を左右に往復移動させつつ減速させた後、落下させる球案内ステージは、弾球遊技機において、例を挙げるまでもなく周知・慣用の技術であるから、左右の球通過口出口から出された球を中央に誘導して下方へ落下させる球案内ステージを有する引用発明１に基づいて、相違点１に係る本願補正発明を特定する事項とすることは、当業者が容易になし得ることである。
　相違点２について　　　
　引用刊行物２の図面全体、特に【図８】を参酌すると、引用発明２の「側壁１０２」は、「遊技球を前側に落下させるステージ」を示唆していると認められるから、引用刊行物２には「ステージの左右方向の略中央に対応して設けた固定手段（十字方向の下部の位置に設けられた支持棒１０３、及びネジ）」が示唆されていると認められる。また、引用発明３には「ステージ（下棚板５７）の左右方向の略中央に対応して設けた固定手段（ビスｖ）」が記載されている。そうすると、「ステージの左右方向の略中央に対応して設けた固定手段」は弾球遊技機の分野において周知・慣用の技術と認められる。そして、固定手段をどこに設けるかは、組立作業時の容易性や固定後の堅牢性などを考慮して、当業者が適宜なし得る設計上の事項であることを併せ考慮すれば、球案内ステージの後側に固定手段を設けた引用発明１に上記周知・慣用技術を適用し、相違点２に係る本願補正発明を特定する事項とすることは、当業者が容易になし得ることである。
　　　　
　そして、本願補正発明による効果に格別のものは認められない。　
　
　したがって、本願補正発明は、引用発明１及び周知・慣用技術に基いて当業者が容易に発明をすることができたものであるから、特許出願の際独立して特許を受けることができないものである。　
　　　
　（う）補正却下の決定のむすび　
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。　
　　　　　　　　　　　　
第三、本願発明について
　平成２２年１月１８日付けの手続補正は上記のとおり却下されることとなったので、本願の請求項１に係る発明は、上記平成２１年８月５日付けで補正された特許請求の範囲の請求項１に記載された事項により特定されるものと認められるところ、その請求項１に記載された発明（以下、「本願発明」という。）は、前記「第二、［理由］（１）補正前・後の本願発明」に補正前として記載したとおりである。
　
　（ア）刊行物に記載された発明
　原査定の拒絶理由に引用された引用刊行物１（特開２００１−１１２９５０号公報）及び引用刊行物２（特開平８−１５５１０７号公報）並びに引用刊行物３（特開２０００−３７５２４号公報）に記載された事項は前記「第二、［理由］（２）（あ）刊行物に記載された発明」に記載された事項と同様であるから、援用する。
　
　（イ）本願発明と引用発明１との対比・判断
　本願補正発明は、前記「第二、［理由］（１）補正前・後の本願発明」で検討したように、本願発明を特定するために必要な事項である「固定手段（４３）」による固定の態様について、「互いに固定する」を「
前後方向に
　そうすると、本願補正発明は、本願発明の発明特定事項を全て含み、さらに他の発明特定事項を付加したものに相当するものであって、その本願補正発明が、前記「第二、［理由］（２）（い）対比・検討」に記載したとおり、引用発明１及び周知・慣用技術に基いて、当業者が容易に発明をすることができたものであるから、本願発明も、同様の理由により、引用発明１及び周知・慣用技術に基いて、当業者が容易に発明をすることができたものである。
　
　（ウ）むすび
　以上のとおり、本願発明は、引用発明１及び周知・慣用技術に基いて、当業者が容易に発明をすることができたものであるから、特許法第２９条第２項の規定により特許を受けることができないものであり、本願は拒絶すべきものである。
　よって、結論のとおり審決する。